(57)【要約】【課題】被検体に的確に息止めさせて撮影をすることが出来るようにする。【解決手段】このＸ線ＣＴ装置に係るポジショニングライト３１ａ（４１ａ）の窓部分には、人の横顔を表した横顔図形Ｄ１と，所定のパターンに配設した複数の点図形Ｄ２とが設けられており、Ｘ線照射の直前になったら、直線状に並んだ点図形Ｄ２を横顔図形Ｄ１に近付く順に点灯し、それに合せて息を吸い込ませ、または、直線状に並んだ点図形Ｄ２を横顔図形Ｄ１から遠ざかる順に点灯し、それに合せて息を吐き出させ、次いで、×状に並んだ点図形Ｄ２を点灯し、被検体Ｋに息を止めさせ、Ｘ線を照射して撮影を行う。【選択図】図６
2004267804.tif 000002
【特許請求の範囲】
【請求項１】
呼吸するか息止めするかを被検体に指示するための表示を行う指示表示部を備えたＣＴ装置において、
前記指示表示部は、時間的に変化する図形や映像を表示することにより、少なくとも呼吸の指示を行うことを特徴とするＣＴ装置。
【請求項２】
請求項１に記載のＣＴ装置において、
前記指示表示部には、人の横顔を表した横顔図形及び所定のパターンに配置された複数の点図形が設けられており、
前記指示表示部は、呼吸を指示するときには、前記複数の点図形のうち前記横顔図形における横顔の口に向けて直線状に並んだ点図形を所定の順に点灯し、息止めを指示するときには、前記複数の点図形のうち×状に並んだ点図形を点灯することを特徴とするＣＴ装置。
【請求項３】
請求項１又は請求項２に記載のＣＴ装置において、被検体の撮影と無関係に前記指示表示部を動作させるための練習スイッチを設けたことを特徴とするＣＴ装置。
【請求項４】
請求項１から請求項３のいずれかに記載のＣＴ装置において、次に行なうスキャンの予定スキャン時間を表示する予定スキャン時間表示部、実行中のスキャンの残りスキャン時間を表示する残りスキャン時間表示部、次に行なうスキャンの予定スライス数を表示する予定スライス数表示部または実行中のスキャンの残りスライス数を表示する残りスライス数表示部の少なくとも１つを設けたことを特徴とするＣＴ装置。
【請求項５】
請求項１から請求項４のいずれかに記載のＣＴ装置において、当該ＣＴ装置がＸ線ＣＴ装置であって、Ｘ線を照射中であることを表示するインジケータを設けたことを特徴とするＣＴ装置。
【発明の詳細な説明】
【技術分野】
【０００１】  本発明は、ＣＴ（Ｃｏｍｐｕｔｅｄ  Ｔｏｍｏｇｒａｐｈｙ）装置に関し、さらに詳しくは、被検体に的確に息止めさせて撮影をすることが出来るＣＴ装置に関する。特に、Ｘ線ＣＴ装置に有用である。
【背景技術】
【０００２】  図１５は、従来のＸ線ＣＴ装置の基本構成を示す説明図である。
このＸ線ＣＴ装置５００は、操作コンソール５１と，撮影テーブル２と，走査ガントリ５３とを備えている。
前記操作コンソール５１は、操作者からの指示や情報などを受け付ける。
前記撮影テーブル２は、被検体Ｋをクレードル２ｃ上に載せて体軸方向に移動させる。
前記走査ガントリ５３は、筒状空間Ｂで被検体ＫにＸ線を照射し、断層像を撮影する。【０００３】  前記筒状空間Ｂのテーパ状壁面Ｂｆの上部の左右２箇所には、呼吸するか息止めするかを被検体Ｋに指示するための表示を行う指示表示器５４が設けられている。
図１６は、一つの指示表示器５４の説明図である。
この指示表示器５４は、「呼吸して下さい」の文字が付された第１のランプ５５と，「息を止めて下さい」の文字が付された第２のランプ５６とを備えている。
前記第１のランプ５５および第２のランプ５６は、撮影のシーケンスに連動して点滅するようになっている。【０００４】  なお、呼吸や息止めを的確に行わないと、断層像の画質の劣化を招いたり、撮影のやり直しによるスキャン時間の延長や被検体Ｋの被曝量の増大などを招くため、好ましくない。【０００５】  ところで、上記従来のＸ線ＣＴ装置５００では、次のような問題点がある。
（１）被検体Ｋの位置決め用光ビームを照射するためのポジショニングライトを設けようとするとき、構成が複雑になり、意匠的にスッキリせず、被検体に不安感を与える。
（２）被検体が文字列を判読できない子供や外国人の場合など、指示を的確に伝えられないことがある。
（３）静的な表示では、呼吸や息止めのタイミングを把握しにくい。
（４）指示表示器５４は撮影のシーケンスに連動して点滅するため、呼吸／息止めの練習をすることができない。このため、実際の撮影時に呼吸／息止めのタイミングを誤りやすい。
（５）どれくらい息止めを続ければよいかが被検体に判らないため、被検体に精神的な負担をかける。
【発明の開示】
【発明が解決しようとする課題】
【０００６】  そこで、本発明の目的は、上記問題点を解消し、被検体に的確に息止めさせて撮影をすることが出来るようにしたＣＴ装置を提供することにある。
【課題を解決するための手段】
【０００７】  第１の観点では、本発明は、呼吸するか息止めするかを被検体に指示するための表示を行う指示表示部を備えたＣＴ装置において、前記指示表示部は、時間的に変化する図形や映像を表示することにより、少なくとも呼吸の指示を行うことを特徴とするＣＴ装置を提供する。
呼吸や息止めを表す動画的な表示を行うと、呼吸や息止めのリズムが判るため、的確なタイミングで被検体が呼吸したり息止めしたりすることが出来るようになる。【０００８】  第２の観点では、本発明は、前記第１の観点の発明において、前記指示表示部には、人の横顔を表した横顔図形及び所定のパターンに配置された複数の点図形が設けられており、
前記指示表示部は、呼吸を指示するときには、前記複数の点図形のうち前記横顔図形における横顔の口に向けて直線状に並んだ点図形を所定の順に点灯し、息止めを指示するときには、前記複数の点図形のうち×状に並んだ点図形を点灯することを特徴とするＣＴ装置を提供する。
このように呼吸や息止めを表すわかりやすい動画的な表示を行うので、呼吸や息止めのリズムを容易に知ることが出来るようになる。【０００９】  第３の観点では、本発明は、上記構成のＣＴ装置において、被検体の撮影と無関係に前記指示表示部を動作させるための練習スイッチを設けたことを特徴とするＣＴ装置を提供する。
被検体の撮影と無関係に指示表示部を動作させることにより、被検体に呼吸／息止めの練習をさせることが出来る。このため、実際の撮影時に的確なタイミングで被検体が呼吸したり息止めすることが出来るようになる。【００１０】  第４の観点では、本発明は、上記構成のＣＴ装置において、次に行なうスキャンの予定スキャン時間を表示する予定スキャン時間表示部、実行中のスキャンの残りスキャン時間を表示する残りスキャン時間表示部、次に行なうスキャンの予定スライス数を表示する予定スライス数表示部または実行中のスキャンの残りスライス数を表示する残りスライス数表示部の少なくとも１つを設けたことを特徴とするＣＴ装置を提供する。
予定スキャン時間，残りスキャン時間，予定スライス数または残りスライス数の少なくとも１つが表示されるので、どれくらい息止めを続ければよいかを被検体が大体知ることが出来る。この結果、被検体の精神的負担を軽減することが出来る。【００１１】  第５の観点では、本発明は、上記構成のＣＴ装置において、当該ＣＴ装置がＸ線ＣＴ装置であって、Ｘ線を照射中であることを表示するインジケータを設けたことを特徴とするＣＴ装置を提供する。
Ｘ線を照射中であることを被検体が知ることが出来るので、その間は被検体が呼吸を我慢するため、息止めの失敗を少なくすることが出来る。
【発明の効果】
【００１２】  本発明のＣＴ装置によれば、次の効果が得られる。
（１）呼吸するか息止めするかを被検体に指示するために、形状が異なるシンボルを表示するから、文字が判りにくい子供や外国人や視覚弱者，色が判りにくい色覚弱者，音声を聞き取りにくい聴覚弱者にも指示を的確に伝えることが出来る。
（２）撮影と無関係に、呼吸するか息止めするかを被検体に指示するための表示を行って被検体Ｋに呼吸／息止めを練習させることが出来るため、実際の撮影時に的確なタイミングで被検体が呼吸したり，息止めできるようになり、失敗が少なくなる。
（３）予定スキャン時間，残りスキャン時間，予定スライス数または残りスライス数が表示されるため、どれくらい息止めを続ければよいかを被検体が大体知ることができ、被検体の精神的負担を軽減することが出来る。
（４）Ｘ線を照射中であることを被検体が知ることが出来るので、その間は被検体が呼吸を我慢するため、息止めの失敗を少なくすることが出来る。
【発明を実施するための最良の形態】
【００１３】  以下、図に示す実施形態により本発明をさらに詳細に説明する。なお、これにより本発明が限定されるものではない。【００１４】−第１の実施形態−
図１は、本発明の第１実施形態のＸ線ＣＴ装置を示す説明図である。
このＸ線ＣＴ装置１００は、操作コンソール１と，撮影テーブル２と，走査ガントリ３とを具備している。
前記操作コンソール１は、操作者からの指示や情報などを受け付ける。
前記撮影テーブル２は、クレードル２ｃ上に載せた被検体Ｋを体軸方向に移動させる。
前記走査ガントリ３は、筒状空間Ｂで被検体ＫにＸ線を照射し、断層像を撮影する。【００１５】  前記筒状空間Ｂの正面側のテーパ状壁面Ｂｆの上部の中央には、被検体の位置決め用光ビームを照射するためのポジショニングライト３１の窓部分が設けられている。また、前記走査ガントリ３の正面カバーの左右両側には、被検体Ｋに呼吸や息止めの練習をさせるための練習スイッチ３４ａ，３４ｂおよびスピーカ３５ａ，３５ｂを含む練習用パネル３３ａ，３３ｂが設けられている。【００１６】  図２は、ポジショニングライト３１の説明図である。
このポジショニングライト３１は、被検体Ｋの位置合わせのためにレーザーラインＬ１，Ｌ２を被検体Ｋに照射するものである。窓部分は、例えば１３０ｍｍ×１００ｍｍ程度の略楕円形で，グレー色の半透明アクリル板が用いられている。
前記ポジショニングライト３１の窓部分には、呼吸をするように被検体Ｋに指示するための緑色の円形の呼吸指示用シンボルＳ１と、息止めをするように被検体Ｋに指示するためのオレンジ色の三角形の息止め指示用シンボルＳ２とが設けられている。これらのシンボルＳ１，Ｓ２は、ＬＥＤ（Ｌｉｇｈｔ  Ｅｍｉｔｔｉｎｇ  Ｄｉｏｄｅ）や，液晶表示デバイスや，ブラズマ表示デバイスなどの発光デバイスを用いて構成されている。【００１７】  図３は、走査ガントリ３の背面図である。
前記筒状空間Ｂの背面側のテーパ状壁面Ｂｒの上部の中央には、ポジショニングライト４１の窓部分が設けられている。
このポジショニングライト４１は、前記ポジショニングライト３１と同じ構成である。【００１８】  図４は、撮影テーブル２および走査ガントリ３を側面から見たときの説明図である。
被検体Ｋの挿入方向としては、足部から先に走査ガントリ３の筒状空間Ｂに挿入するフィート・ファースト（ｆｅｅｔ  ｆｉｒｓｔ）と、頭部から先に挿入するヘッド・ファースト（ｈｅａｄ  ｆｉｒｓｔ）とがある。図中では、前者の状態を実線で示し、後者の状態を点線で示す。
走査ガントリ３は、鉛直方向を０°とするとき、例えば±２０°程度の範囲でチルト（ｔｉｌｔ；傾斜）することが出来る。図中では、走査ガントリ３の鉛直時の姿勢を実線で示し、チルト時の姿勢を破線で示す。
ポジショニングライト３１，４１の窓部分は、被検体Ｋの挿入方向や，走査ガントリ３のチルトの角度にかかわらず、被検体Ｋの顔面に光ビームを照射しやすい位置に設けられている。従って、逆に、被検体Ｋは、ポジショニングライト３１，４１の窓部分を無理なく見ることが出来る。【００１９】  操作者は、練習スイッチ３４ａまたは３４ｂを操作して、ポジショニングライト３１の窓部分に呼吸指示用シンボルＳ１と息止め指示用シンボルＳ２を表示させ、それらシンボルの意味を被検体Ｋに説明する。そして、呼吸指示用シンボルＳ１を点灯した時に楽に呼吸し、呼吸指示用シンボルＳ１が点滅した時は息を吸い込み（または吐き出し）、息止め指示用シンボルＳ２が点灯した時は息を止める練習を被検体Ｋにさせる。【００２０】  次に、操作者は、操作コンソール１を操作し、撮影のシーケンスをスタートさせる。
撮影のシーケンスでは、まず、図５の（ａ）に示すように、ポジショニングライト３１，４１の窓部分に呼吸指示用シンボルＳ１を表示する。次に、Ｘ線照射の直前になったら、図５の（ｂ）に示すように、呼吸指示用シンボルＳ１を点滅させる。次いで、図５の（ｃ）に示すように、息止め指示用シンボルＳ２を表示し、Ｘ線を照射して、撮影を行う。撮影が終わったら、図５の（ａ）に示すように、呼吸指示用シンボルＳ１を再び表示する。【００２１】  なお、上記シーケンスにオートボイス機能を連動させ、音声を併用して呼吸／息止めの指示を行ってもよい。
また、呼吸指示用シンボルＳ１が点滅した時に息を吸い込むのか吐き出すのかを区別するために、呼吸指示用シンボルＳ１の表示態様（色，形状）を変えて点滅させてもよい。【００２２】  上記第１実施形態のＸ線ＣＴ装置１００によれば、被検体Ｋから見やすい位置に設けられているポジショニングライト３１，４１の窓部分に呼吸指示用シンボルＳ１および息止め指示用シンボルＳ２を表示するため、これらシンボルＳ１，Ｓ２を被検体が見やすくなり、的確に呼吸／息止めを被検体が行えるようになる。また、元からあるポジショニングライト３１，４１の窓部分を利用しているため、構成が簡単になり、意匠的にもスッキリし、被検体Ｋに安心感を与えることが出来る。また、色および形状が異なるシンボルＳ１，Ｓ２を表示するから、文字が判りにくい子供や外国人や視覚弱者，色が判りにくい色覚弱者，音声を聞き取りにくい聴覚弱者にも指示を的確に伝えることが出来る。さらに、撮影と無関係にシンボルＳ１，Ｓ２を表示させて被検体Ｋに呼吸／息止めを練習させることが出来るため、実際の撮影時に的確なタイミングで被検体が呼吸したり，息止めすることが出来るようになる。【００２３】−第２実施形態−
図６は、本発明の第２実施形態のＸ線ＣＴ装置に係るポジショニングライトを示す説明図である。
このポジショニングライト３１ａ（４１ａ）の窓部分には、人の横顔を表した横顔図形Ｄ１と，所定のパターンに配設した複数の点図形Ｄ２とが設けられている。
撮影のシーケンスでは、まず、図７に示すように、直線状に並んだ点図形Ｄ２を全て点灯し、被検体Ｋに楽に呼吸させる。次に、Ｘ線照射の直前になったら、図８の（ａ）に示すように、直線状に並んだ点図形Ｄ２を横顔図形Ｄ１に近付く順に点灯し、それに合せて息を吸い込ませる。または、図８の（ｂ）に示すように、直線状に並んだ点図形Ｄ２を横顔図形Ｄ１から遠ざかる順に点灯し、それに合せて息を吐き出させる。次いで、図９に示すように、×状に並んだ点図形Ｄ２を点灯し、被検体Ｋに息を止めさせ、Ｘ線を照射して撮影を行う。撮影が終わったら、図７に示すように、直線状に並んだ点図形Ｄ２を再び全て点灯し、被検体Ｋに楽に呼吸させる。
上記第２実施形態のＸ線ＣＴ装置によれば、前記第１実施形態のＸ線ＣＴ装置１００における効果に加えて、呼吸や息止めを表す表示の動画的な変化によって息を吸い込んだり吐き出したりするリズムが判るため、的確なタイミングで被検体Ｋが息止めできるようになる。【００２４】−第３実施形態−
図１０は、本発明の第３実施形態のＸ線ＣＴ装置に係るポジショニングライトを示す説明図である。
このポジショニングライト３１ｃ（４１ｃ）の窓部分には、呼吸指示用シンボルＳ１と息止め指示用シンボルＳ２に加えて、２桁の数値を表示する数値表示部２１が設けられている。
呼吸指示用シンボルＳ１と息止め指示用シンボルＳ２の表示動作は、前記第１実施形態のＸ線ＣＴ装置１００と同じである。
前記数値表示部２１には、次に行なうスキャンの予定スキャン時間，実行中のスキャンの残りスキャン時間，次に行なうスキャンの予定スライス数または実行中のスキャンの残りスライス数のいずれか１つを選択して表示することが出来る。【００２５】  例えば残りスキャン時間を表示するように選択した場合の動作は、次のようになる。
撮影のシーケンスでは、まず、図１１の（ａ）に示すように、呼吸指示用シンボルＳ１を表示する。次に、Ｘ線照射の直前になったら、図１１の（ｂ）に示すように、呼吸指示用シンボルＳ１を点滅させる。同時に、前記数値表示部２１に予定スライス時間を表示する（ここでは１０秒）。次いで、図１１の（ｃ）に示すように、息止め指示用シンボルＳ２を表示し、Ｘ線を照射して、撮影を行う。この撮影中、図１１の（ｄ）に示すように、前記数値表示部２１に残りスライス時間を表示する（ここでは９秒）。撮影が終わったら、図１１の（ａ）に示すように、呼吸指示用シンボルＳ１を再び表示する。【００２６】  上記第３実施形態のＸ線ＣＴ装置によれば、前記第１実施形態のＸ線ＣＴ装置１００における効果に加えて、予定スキャン時間，残りスキャン時間，予定スライス数または残りスライス数が表示されるため、どれくらい息止めを続ければよいかを被検体Ｋが大体知ることができ、被検体Ｋの精神的負担を軽減することが出来る。【００２７】−第４実施形態−
図１２は、本発明の第４実施形態のＸ線ＣＴ装置に係るポジショニングライトを示す説明図である。
このポジショニングライト３１ｄ（４１ｄ）の窓部分には、呼吸指示用シンボルＳ１と息止め指示用シンボルＳ２に加えて、円グラフを表示するグラフ表示部２２が設けられている。
呼吸指示用シンボルＳ１と息止め指示用シンボルＳ２の表示動作は、前記第１実施形態のＸ線ＣＴ装置１００と同じである。
前記グラフ表示部２２には、実行中のスキャンの残りスキャン時間または実行中のスキャンの残りスライス数のいずれかを選択して表示することが出来る。【００２８】  例えば残りスライス数を表示するように選択した場合の動作は、次のようになる。
撮影のシーケンスでは、まず、図１３の（ａ）に示すように、呼吸指示用シンボルＳ１を表示する。次に、Ｘ線照射の直前になったら、図１３の（ｂ）に示すように、呼吸指示用シンボルＳ１を点滅させる。同時に、前記グラフ表示部２２に残りスライス数が予定スライス数の１００％であることを示す円グラフを表示する。次いで、図１３の（ｃ）に示すように、息止め指示用シンボルＳ２を表示し、Ｘ線を照射して、撮影を行う。この撮影中、図１３の（ｄ）に示すように、前記グラフ表示部２２に残りスライス数が予定スライス数の何％かを表す円グラフを表示する。撮影が終わったら、図１３の（ａ）に示すように、呼吸指示用シンボルＳ１を再び表示する。【００２９】  上記第４実施形態のＸ線ＣＴ装置によれば、前記第１実施形態のＸ線ＣＴ装置１００における効果に加えて、残りスキャン時間または残りスライス数がグラフ表示されるため、どれくらい息止めを続ければよいかを被検体Ｋが大体知ることができ、被検体Ｋの精神的負担を軽減することが出来る。
なお、円グラフの代りに棒グラフを表示するようにしてもよい。【００３０】−第５実施形態−
図１４は、本発明の第５実施形態のＸ線ＣＴ装置に係るポジショニングライトを示す説明図である。
このポジショニングライト３１ｅ（４１ｅ）の窓部分には、呼吸指示用シンボルＳ１と息止め指示用シンボルＳ２に加えて、２桁の数値を表示する数値表示部２１と、現在Ｘ線を照射中であることを示すＸ線照射中マーク“＊”を表示するインジケータ２３とが設けられている。
前記呼吸指示用シンボルＳ１と息止め指示用シンボルＳ２の表示動作は、前記第１実施形態のＸ線ＣＴ装置１００と同じである。
前記数値表示部２１の表示動作は、前記第３実施形態のＸ線ＣＴ装置と同じである。
前記インジケータ２３は、撮影のシーケンスに連動しており、Ｘ線を照射している間のみＸ線照射中マーク“＊”を表示する。
上記第５実施形態のＸ線ＣＴ装置によれば、前記第３実施形態のＸ線ＣＴ装置における効果に加えて、Ｘ線を照射中であることを被検体Ｋが知ることが出来るので、その間は被検体Ｋが呼吸を我慢するため、息止めの失敗を少なくすることが出来る。
【図面の簡単な説明】
【００３１】
【図１】本発明の第１実施形態のＸ線ＣＴ装置を示す説明図である。
【図２】第１実施形態のＸ線ＣＴ装置におけるポジショニングライトの窓部分の説明図である。
【図３】走査ガントリの背面図である。
【図４】走査ガントリおよび撮影テーブルを側面から見たときの説明図である。
【図５】図２のポジショニングライトの窓部分の表示内容の説明図である。
【図６】本発明の第２実施形態のＸ線ＣＴ装置に係るポジショニングライトの窓部分を示す説明図である。
【図７】図６のポジショニングライトの窓部分の表示内容の説明図である。
【図８】図６のポジショニングライトの窓部分の表示内容の別の説明図である。
【図９】図６のポジショニングライトの窓部分の表示内容の更に別の説明図である。
【図１０】本発明の第３実施形態のＸ線ＣＴ装置に係るポジショニングライトを示す説明図である。
【図１１】図１０のポジショニングライトの窓部分の表示内容の説明図である。
【図１２】本発明の第４実施形態のＸ線ＣＴ装置に係るポジショニングライトを示す説明図である。
【図１３】図１２のポジショニングライトの窓部分の表示内容の説明図である。
【図１４】本発明の第５実施形態のＸ線ＣＴ装置に係るポジショニングライトを示す説明図である。
【図１５】従来のＸ線ＣＴ装置の一例を示す説明図である。
【図１６】従来のＸ線ＣＴ装置における指示表示器の説明図である。
【符号の説明】
【００３２】  １００                                Ｘ線ＣＴ装置
２１                                  数値表示部
２２                                  グラフ表示部
３１，３１ａ，３１ｃ，３１ｄ，３１ｅ  ポジショニングライト
３３ａ，３３ｂ                        練習用パネル
３４ａ，３４ｂ                        練習スイッチ
３５ａ，３５ｂ                        スピーカ
Ｄ１                                  横顔図形
Ｄ２                                  点図形
Ｋ                                    被検体
Ｓ１                                  呼吸指示用シンボル
Ｓ２                                  息止め指示用シンボル
【図１】
2004267804.tif 000003
【図２】
2004267804.tif 000004
【図３】
2004267804.tif 000005
【図４】
2004267804.tif 000006
【図５】
2004267804.tif 000007
【図６】
2004267804.tif 000008
【図７】
2004267804.tif 000009
【図８】
2004267804.tif 000010
【図９】
2004267804.tif 000011
【図１０】
2004267804.tif 000012
【図１１】
2004267804.tif 000013
【図１２】
2004267804.tif 000014
【図１３】
2004267804.tif 000015
【図１４】
2004267804.tif 000016
【図１５】
2004267804.tif 000017
【図１６】
2004267804.tif 000018